(57)【要約】【課題】表示装置の外装ケース内に配置されるメタルホルダの側壁における一部領域がその外方へ膨出することを防止した表示装置を提供する【解決手段】表示パネル１と、前記表示パネル１の背面側に配置されたユニットケース１０と、前記表示パネル１とユニットケース１０を一体に組み込み可能とされたメタルホルダ４０とを具備する表示装置において、前記ユニットケース１０の外側壁（２１）には撓み防止用のケース側係止部２２を形成し、前記メタルホルダ４０の側壁４１には前記ケース側係止部２２に係止させる撓み防止用のホルダ側係止部４２を形成する。【選択図】図１
2008046193.tif 000002
【特許請求の範囲】
【請求項１】
表示パネルと、前記表示パネルの背面側に配置されたユニットケースと、前記表示パネルとユニットケースを一体に組み込み可能とされたホルダとを具備する表示装置において、
前記ユニットケースの外側壁には撓み防止用のケース側係止部が形成され、
前記ホルダの側壁には前記ケース側係止部に係止される撓み防止用のホルダ側係止部が形成されていることを特徴とする表示装置。
【請求項２】
前記ケース側係止部およびホルダ側係止部は互いに係止された状態において、前記ホルダの該側壁表面から外方へ突出しないように形成されている請求項１に記載の表示装置。
【請求項３】
前記ホルダ側係止部は、前記ホルダの内方へ向かって延びる第１の段差部と前記第１の段差部の先端から前記側壁に平行に延びる第１の平行板部とから構成されて舌片状に形成されており、
前記ケース側係止部は、外方へ向かって延びる第２の段差部と前記第２の段差部の先端から前記外側壁に平行に延びる第２の平行板部とからなる係止用本体と、前記第１の段差部を収納するとともに、前記ユニットケースの外側壁と前記係止用本体との間に前記ホルダ側係止部を挿入可能とした間隙部を開口させる開口部とから構成されている請求項２に記載の表示装置。
【発明の詳細な説明】
【技術分野】
【０００１】
本発明は、表示パネルと、前記表示パネルの背面側に配置されたバックライトユニットなどのユニットケースと、前記表示パネルとユニットケースを一体に組み込み可能とされたホルダとを具備する表示装置に関する。
【背景技術】
【０００２】
従来、表示装置として、例えば図４に示すように、表示パネルの１種である液晶表示パネル１と、液晶表示パネル１の背面側に配置されたバックライトユニット２を具備するものが知られている（例えば、特許文献１参照）。
【０００３】
液晶表示パネル１は、一対の透明基板３、４が対向配置され、これら透明基板３、４の対向面の周縁部にシール材（図示せず）が配設され、このシール材で囲まれた内側に液晶（図示せず）が封入されている。一方の透明基板４には、他方の透明基板３よりも側方に張り出した張出部５が連設されており、この張出部５には電極端子部６が形成され、電極端子部６には液晶駆動用のＬＳＩチップ７が実装されている。また、前記電極端子部６には、フレキシブル回路基板８の電極端子部が接続されている。
【０００４】
バックライトユニット２は、液晶表示パネル１と対向する面が開口されたユニットケース１０と、ユニットケース１０内に収納された導光板１１と、導光板１１の光入射面１２と対向する位置に配置されたＬＥＤ等からなる光源１３とを有している。導光板１１の光出射面１４には、拡散シートや輝度上昇フィルム等の図示しない光学フィルムが配設されている。また、ユニットケース１０は、いずれもメタル製の上ケース２０と下ケース３０とからなり、上ケース２０と下ケース３０とにそれぞれ形成された図示しない係合部を係合させることにより、下ケース３０の側壁の外方に対応する上ケース２０の側壁を平行に沿わせるようにして、上ケース２０と下ケース３０とを嵌合させた状態で一体とされている。
【０００５】
また、前記液晶表示パネル１やバックライトユニット２等はメタルホルダ４０に組み込まれ、さらに、図示しない下側ケースと上側カバーとからなる外装ケース内に配置される。
【０００６】
メタルホルダ４０は、アルミニウム等の金属板を、平面形状を液晶表示パネル１と略同形の矩形としてその底部分を開放させる臥せ函状にプレス加工されたホルダ部材である。上壁４１には液晶表示パネル１の表示部を露出させる開口が形成されている。そして、上壁４１の四方辺から下方へ延在させて連接された側壁４２に形成された図示しない係合部を、バックライトユニット２のユニットケース１０の外側壁、すなわち、上ケース２０の側壁２１に形成された図示しない係合部と係合させることにより、上壁４１の下面とバックライトユニット２の上面との間に液晶表示パネル１やフレキシブル回路基板８等を収納しつつ、これらを一体にして組み込むように構成されている。
【０００７】
【特許文献１】特開２００２−２５８３１７号公報
【発明の開示】
【発明が解決しようとする課題】
【０００８】
前述した液晶表示装置では、近年の装置の薄型化、小型化の要請によりホルダ４０も薄型化、狭額縁化が図られている。ところが、そのように薄型化、狭額縁化されたメタルホルダ４０は、側壁４２に形成された係合部をユニットケース１０の係合部に係合させた際に、例えば、同一の側壁４２に２つの係合部が間隔をあけて形成された場合における前記２つの係合部間領域等、側壁４２の一部領域が撓んで外方へ膨出し、その外形形状が保てなくなるという問題が生じることがある。このように側壁４２の一部領域が外方へ膨出する現象は、特に、プレス加工する際の曲げ代に相当する上壁４１の開口周縁部が狭額縁化を図るべく幅狭に形成された場合において、その開口周縁部に連接する側壁４２に顕著である。
【０００９】
そのため、前述した液晶表示装置では、メタルホルダ４０に組み込んだ液晶表示パネル１やバックライトユニット２等からなる内部部品を外装ケース内に配置するときに、メタルホルダ４０の膨出部分が外装ケースに接触してしまい、外装ケース内への組み込みの作業性を阻害したり、その適正な配置ができないことがあった。
【００１０】
本発明は、前述した事情に鑑みてなされたもので、表示装置の外装ケース内に配置されるホルダの側壁における一部領域がその外方へ膨出することを防止した表示装置を提供することを目的とする。
【課題を解決するための手段】
【００１１】
前述の目的を達成する本発明の表示装置は、表示パネルと、前記表示パネルの背面側に配置されたユニットケースと、前記表示パネルとユニットケースを一体に組み込み可能とされたホルダとを具備する表示装置において、前記ユニットケースの外側壁には撓み防止用のケース側係止部が形成され、前記ホルダの側壁には前記ケース側係止部に係止される撓み防止用のホルダ側係止部が形成されていることを特徴とする。
【００１２】
また、前記ケース側係止部およびホルダ側係止部は互いに係止された状態において、前記ホルダの側壁表面から外方へ突出しないように形成されていることを特徴とする。
【００１３】
具体的には、前記ホルダ側係止部は、前記ホルダの内方へ向かって延びる第１の段差部と前記第１の段差部の先端から前記側壁に平行に延びる第１の平行板部とから構成されて舌片状に形成され、前記ケース側係止部は、ユニットケースの外側壁から外方へ向かって延びる第２の段差部と、前記第２の段差部の先端から前記外側壁に平行に延びる第２の平行板部とからなる係止用本体と、前記第１の段差部を収納するとともに、前記ユニットケースの外側壁と前記係止用本体との間に前記ホルダ側係止部を挿入可能とした間隙部を開口させる開口部とから構成することができる。
【００１４】
本発明においては、表示パネルとユニットケースとを一体にしてホルダに組み込む際に、ユニットケースのケース側係止部とホルダのホルダ側係止部とを互いに係止させることにより、ホルダの側壁の外方への膨出を抑止することができる。よって、ホルダの側壁が外方へ膨出しないようにすることにより、外装ケース内への組み込みの作業性が阻害されたり、その適正な配置ができないといった不具合を解消することができる。
【００１５】
また、ケース側係止部およびホルダ側係止部は、互いに係止させた状態において最外郭に位置させるホルダの側壁表面から外方へ突出しないように形成されているので、両係止部自体が組み込みの作業性や外装ケース内への適正な配置を阻害することもない。
【発明の効果】
【００１６】
本発明の表示装置によれば、表示装置の外装ケース内に配置されるホルダの側壁における一部領域がその外方へ膨出することを防止することができ、外装ケース内への組み込みの作業性を向上させ、外装ケース内に適正に配置することが可能となる。
【発明を実施するための最良の形態】
【００１７】
以下、本発明の実施の形態を図面を参照して説明するが、本発明は下記実施形態に限定されるものではない。また、本実施形態の表示装置は、従来例として説明した液晶表示装置と同じく、液晶表示パネル１と、前記液晶表示パネル１の背面側に配置されたユニットケース１０と、前記液晶表示パネル１とユニットケース１０とを一体に組み込み可能とされたメタルホルダ４０とを具備する液晶表示装置である。よって、既に説明した構成についてはその説明を省略する。また、同一の部材については同一の符号を付して以下の説明を行なう。
【００１８】
本実施形態の液晶表示装置においては、図１および図２に示すように、前記ユニットケース１０の外側壁、すなわち、ユニットケース１０を構成する上ケース２０の側壁２１には、該側壁２１における一部領域がその外方へ膨出することを防止するための撓み防止用のケース側係止部２２が形成されている。前記上ケース２０の側壁２１には、図示しない２つの係合部が離間されて形成されており、前記ケース側係止部２２の形成位置は、その２つの係合部間とされている。また、前記メタルホルダ４０の側壁４２には、前記ケース側係止部２２に対応して係止する撓み防止用のホルダ側係止部４３が形成されている。そして、前記ケース側係止部２２およびホルダ側係止部４３は、互いに係止させた状態において、前記メタルホルダ４０の側壁４２の表面から外方へ突出しないように形成されている。
【００１９】
本実施形態において、前記ホルダ側係止部４３は、メタルホルダ４０の側壁４２に形成されたコ字状の切欠き４４の奥辺中央部から該切欠き４４内へ延在する舌片状に形成されている。前記舌片状のホルダ側係止部４３は、メタルホルダ４０の内方へ向かって延びる第１の段差部４５と、その第１の段差部４５の先端から前記側壁４２に平行に延びる第１の平行板部４６とから構成されている。
【００２０】
また、前記ケース側係止部２２は、ユニットケース１０の外側壁の下部、すなわち、上ケース２０の側壁２１における前記ホルダ側係止部４３と対応する位置に形成されている。このケース側係止部２２は、外方へ向かって延びる第２の段差部２３と、前記第２の段差部２３の先端から前記側壁２１に平行に延びる第２の平行板部２４とからなる係止用本体２５と、前記第１の段差部４５を収納するとともに、前記ユニットケース１０の上ケース２０の側壁２１と前記係止用本体２５との間に前記ホルダ側係止部４３を挿入可能とした間隙部（スリット）２６を開口させる開口部２７とから構成されている。
【００２１】
本実施形態において、前記係止用本体２５は、前記第２の平行板部２４の両端に第２の段差部２３が連接されたバンド状に形成されている。なお、前記係止用本体２５は、図３に示すように、前記開口部２７を含む切欠きにより一側辺または下辺を該側面に連接させた片状部として形成されていてもよい。その場合において、前記片状部の第２の平行板部２４の形状に限定はなく、例えば、図３に示すように、矩形としてもよいし、台形、半楕円形などの形状であってもよい。
【００２２】
なお、本実施形態においては、前記メタルホルダ４０の側壁厚さと、ユニットケース１０の外側面を有する側壁厚さは同寸法とされ、前記ホルダ側係止部４３に形成された第１の段差部４５、およびケース側係止部２２に形成された第２の段差部２３は、前記メタルホルダ４０やユニットケース１０の側壁厚さ方向に形成されている。よって、図２（ｂ）に示すように、前記メタルホルダ４０の側壁４２の表面と、前記ケース側係止部２２の第２の平行板部２４の表面は面一になる。
【００２３】
そして、本実施形態においては、ホルダ側係止部４３の前記第１の段差部４５をケース側係止部２２に形成された開口部２７内に収容させつつ、その先端に形成された第１の平行板部４６を前記開口部２７側から前記ユニットケース１０の上ケース２０の側壁２１と前記係止用本体２５との間に形成された間隙部２６に挿入し係止される。
【００２４】
このように、液晶表示装置を構成するユニットケース１０およびメタルホルダ４０に、互いの係合を目的とする係合部とは別に、それぞれケース側係止部２２およびホルダ側係止部４３を形成し、それらを互いに係止させることにより、メタルホルダ４０の側壁４２の外方への膨出を抑止することができる。
【００２５】
また、ケース側係止部２２およびホルダ側係止部４３は、互いに係止させた状態においてメタルホルダ４０の側壁４２の表面から外方へ突出しないように形成されているので、ケース側係止部２２およびホルダ側係止部４３自体が組み込みの作業性や外装ケース内への適正な配置を阻害することもない。
【００２６】
なお、本発明の表示装置は、前記実施形態に限定されるものではない。例えば、前述の実施形態においては、ホルダ側係止部４３は切欠き４４内に形成したが、側壁４２の高さ寸法によっては側壁４２の下端片から突出させるようにして連接してもよい。また、ケース側係止部２２も、前述の実施形態においてはユニットケース１０の上ケース２０の側壁２１の下部に設けたが、前記側壁２１の上下方向中央部や上部に設けてもよい。さらには、前記ケース側係止部２２はユニットケース１０の側壁に形成されていればよく、ユニットケース１０の形状によっては、本実施形態のように、上ケース２０の側壁ではなく、下ケース３０の側壁に形成することも考えられる。また、ユニットケース１０をいずれも金属製の上ケースと下ケースとからなるものとしたが、ユニットケース１０の材質や構造はこれに限定されるものではない。さらに、本発明において、ホルダ側係止部４３およびケース側係止部２２の配設数や配設位置も前述の実施形態に限られるものではない。またさらに、本実施形態では表示パネルとして、液晶表示装置を用いた場合について説明したが、本発明はこれに限られるものではない。例えば、本発明は有機ＥＬ表示装置などの他の表示装置に適用することも可能である。
【図面の簡単な説明】
【００２７】
【図１】本発明に係る表示装置の一実施形態を示す要部斜視図
【図２】（ａ）は図１の丸矢印で示す係止部部分の拡大平面図、（ｂ）は（ａ）中のＡ−Ａ断面図
【図３】（ａ）は図１の丸矢印で示す係止部部分の別の実施形態を示す拡大平面図、（ｂ）は（ａ）中のＢ−Ｂ断面図
【図４】従来の液晶表示装置の一例と問題点を示す要部断面図
【符号の説明】
【００２８】
１  液晶表示パネル
２  バックライトユニット
３  透明基板
４  透明基板
５  張出部
６  電極端子部
７  ＬＳＩチップ
８  フレキシブル回路基板
１０  ユニットケース
１１  導光板
１２  光入射面
１３  光源
１４  光出射面
２０  上ケース
２１  側壁
２２  ケース側係止部
２３  第２の段差部
２４  第２の平行板部
２５  係止用本体
２６  間隙部
２７  開口部
３０  下ケース
４０  メタルホルダ
４１  上壁
４２  側壁
４３  ホルダ側係止部
４４  切欠き
４５  第１の段差部
４６  第１の平行板部
【図１】
2008046193.tif 000003
【図２】
2008046193.tif 000004
【図３】
2008046193.tif 000005
【図４】
2008046193.tif 000006